(57)【要約】【課題】流体通路の上流側と下流側にダイアフラム式の開閉弁を設け、それらの開閉弁を１個の電子弁で一体的に開閉駆動可能にした流体制御装置を提供すること、小型化、態コスト化が可能な流体制御装置を提供すること。【解決手段】  給湯システム１の逆流防止装置３等に好適の流体制御装置器において、湯の湯入口３１と、この湯入口３１から湯が流入する湯通路３３と、この湯通路３３から湯が流出する湯出口３２と、湯通路３３中に介装されて湯通路３３を開閉する開閉弁と、この開閉弁を開閉駆動可能な電磁弁３８とを設け、開閉弁として上流側のダイアフラム式の第１開閉弁３４と、下流側のダイアフラム式の第２開閉弁３５とを設け、第１，第２開閉弁３４，３５のダイアフラム室４０，５１を連通する連通路５２を設け、電磁弁３８により第１，第２開閉弁３４，３５を一体的に開閉駆動可能に構成した。【選択図】  図１
2007085621.tif 000002
【特許請求の範囲】
【請求項１】
流体の流入口と、この流入口から流体が流入する流体通路と、この流体通路から流体が流出する流出口と、流体通路中に介装されて流体通路を開閉する開閉弁と、この開閉弁を開閉駆動可能な電磁弁とを有する流体制御装置において、
前記開閉弁として、上流側のダイアフラム式の第１開閉弁と、下流側のダイアフラム式の第２開閉弁とを設け、
前記第１，第２開閉弁のダイアフラム室を連通する連通路を設け、
前記電磁弁により前記第１，第２開閉弁を一体的に開閉駆動可能に構成した、
ことを特徴とする流体制御装置。
【請求項２】
前記第１開閉弁の開閉方向が前記電磁弁の駆動方向と同方向で、前記第２開閉弁の開閉方向が電磁弁の駆動方向と略直交していることを特徴とする請求項１に記載の流体制御装置。
【請求項３】
前記第１開閉弁よりも下流側且つ前記第２開閉弁よりも上流側に、
前記流体通路を大気開放可能とするオーバーフロー口と、
このオーバーフロー口を開放して大気開放し且つ流体通路内の流体の逆流を防止する逆止位置と、オーバーフロー口を閉じて大気開放しないで且つ流体通路内の流体の逆流を防止しない位置とに切換え可能なホッパー弁兼逆止弁と、
を設けたことを特徴とする請求項１又は２に記載の流体制御装置。
【請求項４】
前記第１開閉弁のダイアフラムに形成され前記流入口の流体圧をダイアフラム室に導入する第１ブリード孔と、ダイアフラム室の流体圧を第２ブリード孔を介して導入可能なブリード室と、このブリード室の流体圧を第２開閉弁より下流側の流体通路部分にブリードさせる第３ブリード孔とを備え、
前記電磁弁は、ブリード室に臨む第３ブリード孔の上流側端部を開閉する弁に構成されたことを特徴とする請求項１〜３の何れかに記載の流体制御装置。
【請求項５】
前記第１ブリード孔、第２ブリード孔、第３ブリード孔の順に、ブリード孔径が大きくなるように形成されたことを特徴とする請求項４に記載の流体制御装置。
【発明の詳細な説明】
【技術分野】
【０００１】
本発明は、給湯器等の湯を浴槽へ供給する給湯路に設置するのに適した流体制御装置に関し、特に１つの電磁弁で２つのダイアフラム式開閉弁を一体的に駆動可能に構成したものに関する。
【背景技術】
【０００２】
風呂の給湯システムには、通常、給湯器からの湯を供給する給湯系統と、浴槽の湯を追い焚きする追い焚き循環系統とが設けられ、浴槽へ湯の落し込む際には給湯系統から給湯し、追い焚きする際には追い焚き循環系統により追い焚きされる。
前記給湯系統には、浴槽側への湯の供給／供給停止機能と、浴槽側の湯が給湯系統へ逆流するのを防止する逆流防止機能と、浴槽側の湯をオーバーフローさせるオーバーフロー機能とを有する逆流防止装置が設けられる。
【０００３】
特許文献１，２には、前記のような３つの機能のうち、逆流防止機能を改善した逆流防止装置が提案されている。その逆流防止装置では、逆流防止装置の下流部分に、負圧閉止弁と、吐出逆止弁とを直列状に組み込み、給湯をオフする際には、オーバーフロー口から導入した大気圧を負圧閉止弁の下流側且つ吐出逆止弁の上流側に導入して、それら負圧閉止弁と吐出逆止弁とを閉弁状態に切り換えるように構成してある。
【０００４】
本願出願人が採用していた逆流防止装置について説明する。
図３に示すように、この逆流防止装置１００は、給湯機能部１０１から浴槽１０２の追い焚き循環系統１０３に給湯する給湯路１０４に設置されている。給湯器１０１には、給水管１０５、給湯管１０６、第１水量センサ１０７、熱交換部１０８、水量サーボ弁１０９、第２水量センサ１１０などが設けられている。追い焚き循環系統１０３には、浴槽１０２に接続された循環配管１１１、ポンプ１１２、水位センサ１１３、熱交換部１１４などが設けられており、逆止弁１１５が設けられた給湯路１０４は、循環配管１１１のポンプ下流側に接続されている。
【０００５】
逆流防止装置１００は、弁ケース１２０、湯入口１２１、湯通路１２２、湯出口１２３、ダイアフラム式開閉弁１２４、この開閉弁１２４を開閉駆動する電磁弁１２５、オーバーフロー口１２６、図３に示す逆止位置と図４に示す給湯位置とに亙って切り換えられるホッパー弁兼逆止弁１２７などを備えている。開閉弁１２４のダイアフラムには、湯入口１２１の湯の液圧をダイアフラム室１２８に導入する第１ブリード孔１２９、電磁弁１２５で開閉される第２ブリード孔１３０が形成されている。ホッパー弁兼逆止弁１２７は、スプリングの弾性力で逆止位置になり、給湯時の湯の液圧で給湯位置になる。
【０００６】
図３は湯の供給停止状態を示し、この状態では追い焚き循環系統１０３の循環配管１１１には、湯（又は水）が満たされており、逆流防止装置１００における吐水口空間Ａの上端付近まではオーバーフロー口１２６から大気が導入されており、中央通路部１２２ａの液圧はほぼ大気圧である。この状態で、電磁弁１２５がＯＮされて、第２ブリード孔１３０が開弁されると、ダイアフラム室１２８の液圧が第２ブリード孔１３０から中央通路部１２２ａに抜けるため、ダイアフラム室１２８の液圧が低下してダイアフラム式開閉弁１２４が開弁し、ホッパー弁兼逆止弁１２７が湯の液圧で開弁し、図４の供給位置に切り換わって、給湯器１０１からの湯が逆止弁１１５を通過して循環配管１１１に供給される。
【０００７】
湯供給停止の為に電磁弁１２５を閉じると、ダイアフラム室１２８の液圧が上昇するため、開閉弁１２５が閉弁し、中央通路部１２２ａにおける湯の液圧が低下するため、ホッパー弁兼逆止弁１２７が図３の逆止位置になり、オーバーフロー口１２６は大気開放される。給湯系統の湯の最大液圧は、給水管１０５から供給される水道水の液圧であり、この液圧はかなり低い液圧の場合もある。逆止弁１１５は追い焚き循環系統１０３の循環配管１１１からの湯の逆流防止の為のもので、逆止弁１１５は給湯系統から供給される湯の液圧で確実に開いて湯を供給可能とするため、逆止弁１１５の内部のスプリングは１ｋＰａ程度の開弁力で開弁するように構成されている。
【０００８】
【特許文献１】実開平９−３９３号公報
【特許文献２】特許第３００７８５６号公報
【発明の開示】
【発明が解決しようとする課題】
【０００９】
給湯器の設置高さ位置に対して浴槽の設置高さ位置が低い場合が多く、その設置高さ位置の高さの差が大きい場合には、循環配管内の湯（又は水）のヘッド圧に起因する負圧が逆止弁に開弁方向に作用し、オーバーフロー口から入った空気が逆止弁を通って循環配管内へ侵入する。この場合、循環配管内の湯（又は水）が浴槽内へ落ち込み、循環配管の大部分に空気が侵入するため、浴槽の水位を検出する水位センサが正常に作動しなくなり、給湯システムが正常に作動しなくなるという問題がある。
【００１０】
特許文献１，２の逆流防止装置では、オーバーフロー口から導入した大気圧を有効活用して負圧閉止弁と吐出逆止弁を閉弁状態に保持するため、前記のような問題は解消されるものの、負圧閉止弁と吐出逆止弁とを組み込むため、逆流防止装置が大型化し、製作コストが高価になる。
【００１１】
一般に、２つのダイアフラム式開閉弁を夫々開閉駆動するために、２つの電磁弁を採用する場合も少なくないが、高価な電磁弁により製作コストが高価になり、２つの電磁弁を組み込むスペースも大きくなるので不利である。
本発明の目的は、流体通路の上流側と下流側にダイアフラム式開閉弁を設け、それらの開閉弁を１つの共通の電磁弁で一体的に開閉駆動可能にした流体制御装置を提供することである。
【課題を解決するための手段】
【００１２】
請求項１の流体制御装置は、流体の流入口と、この流入口から流体が流入する流体通路と、この流体通路から流体が流出する流出口と、流体通路中に介装されて流体通路を開閉する開閉弁と、この開閉弁を開閉駆動可能な電磁弁とを有する流体制御装置において、前記開閉弁として、上流側のダイアフラム式の第１開閉弁と、下流側のダイアフラム式の第２開閉弁とを設け、前記第１，第２開閉弁のダイアフラム室を連通する連通路を設け、前記電磁弁により前記第１，第２開閉弁を一体的に開閉駆動可能に構成したものである。尚、この流体制御装置は、風呂の給湯システムに好適の逆流防止装置として適用可能なものである。
【００１３】
第１，第２開閉弁のダイアフラム室が連通路で連通しているため、電磁弁を開弁駆動すると、第１，第２ダイアフラム式開閉弁が一体的に開弁駆動され、流入口に流入した流体が内部の流体通路を通って流出口へ流れ、流出口から外部へ供給される。流体の供給を停止するために電磁弁を閉弁させると、第１，第２開閉弁が一体的に開弁駆動される。
【００１４】
請求項２の流体制御装置は、請求項１の発明において、前記第１開閉弁の開閉方向が前記電磁弁の駆動方向と同方向で、前記第２開閉弁の開閉方向が電磁弁の駆動方向と略直交していることを特徴とするものである。
【００１５】
請求項３の流体制御装置は、請求項１又は２の発明において、前記第１開閉弁よりも下流側且つ前記第２開閉弁よりも上流側に、前記流体通路を大気開放可能とするオーバーフロー口と、このオーバーフロー口を開放して大気開放し且つ流体通路内の流体の逆流を防止する逆止位置と、オーバーフロー口を閉じて大気開放しないで且つ流体通路内の流体の逆流を防止しない位置とに切換え可能なホッパー弁兼逆止弁とを設けたことを特徴とするものである。
【００１６】
請求項４の流体制御装置は、請求項１〜３の何れかの発明において、前記第１開閉弁のダイアフラムに形成され前記流入口の流体圧をダイアフラム室に導入する第１ブリード孔と、ダイアフラム室の流体圧を第２ブリード孔を介して導入可能なブリード室と、このブリード室の流体圧を第２開閉弁より下流側の流体通路部分にブリードさせる第３ブリード孔とを備え、前記電磁弁は、ブリード室に臨む第３ブリード孔の上流側端部を開閉する弁に構成されたことを特徴とするものである。
【００１７】
請求項５の流体制御装置は、請求項４の発明において、前記第１ブリード孔、第２ブリード孔、第３ブリード孔の順に、ブリード孔径が大きくなるように形成されたことを特徴とするものである。
【発明の効果】
【００１８】
請求項１の流体制御装置によれば、流体通路の上流側と下流側にダイアフラム式の第１，第２開閉弁を設け、第１，第２開閉弁のダイアフラム室を連通する連通路を設け、電磁弁により第１，第２開閉弁を一体的に開閉駆動可能に構成したので、第１，第２開閉弁を閉弁して流体通路を閉止した状態と、第１，第２開閉弁を開弁して流体通路を開いた状態とに切り換えることができる。第１，第２開閉弁を１つの電磁弁で開閉駆動するため、電磁弁の数を節減し、電磁弁を設置するスペースと製作コストを低減することができる。
【００１９】
請求項２の流体制御装置によれば、第１開閉弁の開閉方向が前記電磁弁の駆動方向と同方向で、第２開閉弁の開閉方向が電磁弁の駆動方向と略直交しているため、第１開閉弁のダイアフラム室と第２開閉弁のダイアフラム室とを近い位置に配置することができ、両ダイアフラム室を連通させる連通路の構造を簡単化することができる。
【００２０】
請求項３の流体制御装置によれば、第１開閉弁よりも下流側且つ第２開閉弁よりも上流側に、流体通路を大気開放可能とするオーバーフロー口と、このオーバーフロー口を開放して大気開放し且つ流体通路内の流体の逆流を防止する逆止位置と、オーバーフロー口を閉じて大気開放しないで且つ流体通路内の流体の逆流を防止しない位置とに切換え可能なホッパー弁兼逆止弁とを設けたため、この流体制御装置を、風呂の給湯システムにおける逆流防止装置として適用することができる。
【００２１】
請求項４の流体制御装置によれば、第１開閉弁のダイアフラムに形成された第１ブリード孔と、ダイアフラム室の流体圧を第２ブリード孔を介して導入可能なブリード室と、このブリード室の流体圧を第２開閉弁より下流側の流体通路部分にブリードさせる第３ブリード孔とを備え、前記電磁弁は、ブリード室に臨む第３ブリード孔の上流側端部を開閉する弁に構成したため、電磁弁を開弁することでダイアフラム室の流体圧を第３ブリード孔を介して下流側の低圧の流体通路部分に確実に抜くことができるから、第１開閉弁の開弁作動が確実になり、同様に第２開閉弁の開弁作動が確実になる。
【００２２】
請求項５の流体制御装置によれば、第１ブリード孔、第２ブリード孔、第３ブリード孔の順に、ブリード孔径が大きくなるように形成したので、電磁弁を開弁することでダイアフラム室の流体圧を第３ブリード孔を介して下流側の低圧の流体通路部分に確実に抜くことができるから、第１開閉弁の開弁作動が確実になり、同様に第２開閉弁の開弁作動が確実になる。
【発明を実施するための最良の形態】
【００２３】
本発明の流体制御装置は、流体の流入口と、この流入口から流体が流入する流体通路と、この流体通路から流体が流出する流出口と、流体通路中に介装されて流体通路を開閉する開閉弁と、この開閉弁を開閉駆動可能な電磁弁とを有する流体制御装置において、前記開閉弁として、上流側のダイアフラム式の第１開閉弁と、下流側のダイアフラム式の第２開閉弁とを設け、第１，第２開閉弁のダイアフラム室を連通する連通路を設け、前記電磁弁により第１，第２開閉弁を一体的に開閉駆動可能に構成したものである。
【実施例１】
【００２４】
以下、本発明に係る流体制御装置を、風呂の給湯システムの逆流防止装置として適用した場合の実施例について図面に基づいて説明する。
図１に示すように、風呂の給湯システム１は、給湯機能部２、逆流防止装置３（流体制御装置に相当する）、逆止弁４，５、追い焚き循環系６などを有する。給湯機能部２は燃焼機１０を有し、給湯機能部２の熱交換部１１には、給水管１２と給湯管１３とが接続され、給水管１２には水量センサ１４が設けられ、給湯管１３には水量サーボ弁１５が設けられ、給湯機能部２から追い焚き循環系６へ延びる給湯路１６には水量センサ１７、逆流防止装置３、逆止弁４，５が介装されている。
【００２５】
追い焚き循環系６は、熱交換部８、浴槽７に接続された循環配管９、この循環配管９に介装された渦巻き型ポンプ１８、浴槽７の水位を液圧を介して検出する水位センサ１９などが設けられており、給湯路１６は循環配管９のうちのポンプ下流側部位に接続されている。また、給湯システム１の複数の機器を制御する制御装置２０、この制御装置２０に接続されたリモコン操作器２１も設けられている。
【００２６】
次に、本願特有の逆流防止装置３について説明する。
図１，図２に示すように、逆流防止装置３は、弁ケース３０、湯入口３１（流体の流入口）、湯出口３２（流体の流出口）、湯入口３１から湯出口３２まで延びる湯通路３３、ダイアフラム式の第１開閉弁３４、ダイアフラム式の第２開閉弁３５、ホッパー弁兼逆止弁３６、オーバーフロー口３７、電磁弁３８などを有する。弁ケース３０は例えばステンレス等の金属で構成され、弁ケース３０の右側部に湯入口３１が形成され、弁ケース３０の左側部に湯出口３２が形成され、湯通路３３は、湯入口３１に通ずる立向筒部３９で形成された中央通路部３３ａ、弁室通路部３３ｂ、出口側通路部３３ｃなどを有する。
【００２７】
ダイアフラム式の第１開閉弁３４は、立向筒部３９の上端を開閉するダイアフラム３４ａを有し、このダイアフラム３４ａは水平姿勢に配置され、この第１開閉弁３４の開閉方向は電磁弁３８の駆動方向と同方向（鉛直方向）である。このダイアフラム３４ａの上側にはダイアフラム室４０が形成され、このダイアフラム３４ａには湯入口３１に連通した小径の第１ブリード孔４１が形成されている。ダイアフラム３４ａは、ダイアフラム室４０の液圧で閉弁側へ付勢され、湯入口３１の液圧と中央通路部３３ａの液圧とで開弁側へ付勢される。
【００２８】
弁ケース３０の上端には電磁弁３８が倒立姿勢に付設され、この電磁弁３８の本体アクチュエータ３８ａと弁ケース３０とでブリード室４２が形成され、電磁弁３８のロッド弁体４３は、ブリード室４２の中央部に出没するように構成されている。ブリード室４２の下側には弁ケース３０の上部壁４４があり、この上部壁４４にはダイアフラム室４０とブリード室４２とを連通させる小径の第２ブリード孔４５（但し、第１ブリード孔４１よりも大径）が形成されている。ブリード室４２を湯出口３２に連通させる第３ブリード孔４６（但し、第２ブリード孔４５よりも大径）が弁ケース３０の壁部に形成され、第３ブリード孔４６の上流端には、上部壁４４の中央部上面に環状突部状の弁座部４７が形成され、この弁座部４７が電磁弁３８のロッド弁体４３で開閉される。
【００２９】
前記弁ケース３０の下部には、オーバーフロー口３７の一部を形成する弁座筒部４８であって、立向筒部３９の下方に離隔して同心状に位置する弁座筒部４８が形成されている。ホッパー弁兼逆止弁３６は、弁ケース３０内の立向筒部３９と弁座筒部４８との間に配設されている。ホッパー弁兼逆止弁３６は、立向筒部３９内の中央通路部３３ａの下端を閉じる逆止位置と、その下端を開放し且つ弁座筒部４８の上端（つまり、オーバーフロー口３７）を閉止する給湯位置とに亙って択一的に切り換えられる弁体３６ａを備え、この弁体３６ａはコイルバネ４９で上方へ逆止位置の方へ付勢されている。
【００３０】
ダイアフラム式の第２開閉弁３５は、弁ケース３０の湯出口３２を形成する筒状部５０の内端をダイアフラム３５ａで開閉する弁であり、このダイアフラム３５ａは鉛直姿勢に配置され、この第２開閉弁３５の開閉方向は、第１開閉弁３４の開閉方向と略直交する水平方向である。第２開閉弁３５のダイアフラム室５１を第１開閉弁３４のダイアフラム室４０に連通する連通路５２が形成され、第１，第２開閉弁３４，３５は一体的に開閉駆動可能に構成され、第１，第２開閉弁３４，３５が双方とも開弁状態か双方とも閉弁状態かの何れかの状態をとる。
【００３１】
第２開閉弁３５のダイアフラム３５ａを開弁方向へ付勢するコイルバネ５３が筒状部５０に外装され、ダイアフラム３５ａは、ダイアフラム室５１の液圧で閉弁側へ付勢され、コイルバネ５３の弾性力と湯通路３３の出口側通路部３３ｃの液圧とで閉弁側へ付勢される。逆止弁４，５は、湯出口３２から循環配管９への湯の流れを許すけれども、循環配管９から湯出口３２への逆流を許さない逆止弁であり、これら逆止弁４，５内の閉弁バネは１ｋＰａ程度の閉弁力を発生する弱いバネである。尚、逆止弁４，５は、その逆流防止機能の信頼性を向上させるため２つ設けたが、１つの逆止弁を設けてもよい。
【００３２】
次に、給湯システム１と、逆流防止装置３の作用、効果について説明する。
図１の逆流防止装置３において、第１，第２開閉弁３４，３５は閉弁状態であり、ホッパー兼逆止弁３６の弁体３６ａは逆止位置（閉止位置）であり、浴槽７に湯（又は水）が入っているものとして説明する。図１の状態において、電磁弁３８が閉弁しているため、ブリード室４２の液圧、ダイアフラム室４０の液圧は湯入口３１の液圧と同圧であり、オーバーフロー口３７が開放されているため、吐水口空間Ａには大気があり、中央通路部３３ａ内の液圧はほぼ大気圧程度の圧力である。
【００３３】
循環配管９には湯（又は水）が充満しており、逆止弁４，５には循環配管９内の湯（又は水）のヘッド圧（負圧）が作用しており、湯出口３２の液圧は大気圧程度の圧力になっている。この状態において、第１開閉弁３４のダイアフラム室４０には第１ブリード孔４１から湯入口３１の幾分高めの液圧が作用し、そのダイアフラム室４０の液圧が中央通路部３３ａの液圧よりも高いため、第１開閉弁３４が閉弁状態を維持している。
【００３４】
ホッパー弁兼逆止弁３６の弁体３６ａはコイルバネ４９の弾性力で閉弁状態を維持している。第２開閉弁３５のダイアフラム室５１は、連通路５２を介してダイアフラム室４０と連通し、ダイアフラム室５１にはダイアフラム室４０と同じ幾分高めの液圧が作用し、出口側通路部３３ｃの液圧が大気圧程度であるため、第２開閉弁３５は閉弁状態を維持している。この状態において、仮に、浴槽７の設置高さ位置が給湯機能部２の設置高さ位置よりも数ｍ低い位置に設置されていて、逆止弁４，５に循環配管９から負圧の液圧が作用して、湯出口３２の液圧が負圧になったとしても、第２開閉弁３５は確実に閉弁状態を維持するから、吐水口空間Ａの空気が第２開閉弁３５を通過して循環配管９に流入することはない。
【００３５】
次に、例えば、浴槽７の水を排水後に、浴槽７に湯を落とし込むために、リモコン操作器２１からの指令により電磁弁３８を開弁させると、ブリード室４２の液圧が第３ブリード孔４６から湯出口３２へ抜けるため、ブリード室４２の液圧が低下し、ダイアフラム室４０，５１の液圧が第２ブリード孔４５からブリード室４２へ抜けるため、ダイアフラム室４０，５１の液圧が低下する。そして、第２ブリード孔４５は第１ブリード孔４１よりも大径であるから、ダイアフラム室４０，５１の液圧が確実に低下する。
【００３６】
そのため、図２に示すように、第１開閉弁３４が開弁し、湯通路３３に湯が流れ始めるため、ホッパー弁兼逆止弁３６の弁体３６ａが下方へ移動して開弁し、オーバーフロー口３７が閉止され、出口側通路部３３ｃの液圧が増加し、第２開閉弁３５のダイアフラム５１に作用する開弁側への液圧が増大して第２開閉弁３５が確実に開弁する。その結果、逆流防止装置３が、湯通路３３を全面的に開通させるため、給湯機能部２からの湯が逆止弁４，５を通って循環配管９に供給され、ポンプ１８を介して湯が循環配管９から浴槽７に供給される。
【００３７】
以上説明した逆流防止装置３においては、湯通路３３の上流側と下流側に夫々第１，第２ダイアフラム式開閉弁３４，３５を設け、第１，第２開閉弁３４，３５のダイアフラム室４０，５１を連通する連通路５２を設け、電磁弁３８により第１，第２開閉弁３４，３５を一体的に同期させて開閉駆動可能に構成したので、第１，第２開閉弁３４，３５を閉弁して湯通路３３を閉止した状態と、第１，第２開閉弁３４，３５を開弁して湯通路３３を開通した状態とに切り換えることができる。第１，第２開閉弁３４，３５を１つの電磁弁３８で開閉駆動するため、電磁弁３８の数を節減し、電磁弁３８を設置するスペースと製作コストを低減することができる。
【００３８】
第１開閉弁３４の開閉方向が電磁弁３８の駆動方向と同方向で、第２開閉弁３５の開閉方向が電磁弁３８の駆動方向と略直交しているため、第１開閉弁３４のダイアフラム室４０と第２開閉弁３５のダイアフラム室５１とを近い位置に配置することができ、両ダイアフラム室４０，５１を連通させる連通路５２の構造を簡単化することができる。うえ、逆流防止装置３の小型、軽量化を図ることができる。
【００３９】
第１開閉弁３４よりも下流側且つ第２開閉弁３５よりも上流側に、湯通路３３を大気開放するオーバーフロー口３７と、このオーバーフロー口３７を開放して大気開放し且つ湯通路３３内の湯の逆流を防止する逆止位置（閉止位置）と、オーバーフロー口３７を閉じて大気開放しないで且つ湯通路３３内の湯の逆流を防止しない位置とに切換え可能なホッパー弁兼逆止弁３６とを設けたため、風呂の給湯システム１における逆流防止装置３として採用可能である。
【００４０】
第１開閉弁３４のダイアフラム３４ａに形成された第１ブリード孔４１と、ダイアフラム室４０の液圧を第２ブリード孔４５を介して導入可能なブリード室４２と、このブリード室４２の液圧を第２開閉弁３５より下流側の湯出口３２にブリードさせる第３ブリード孔４６とを備え、電磁弁３８は、ブリード室４２に臨む第３ブリード孔４６の上流側端部を開閉する弁に構成したため、電磁弁３８を開弁することでダイアフラム室４０，５１の液圧を第３ブリード孔４６を介して下流側の低圧の湯出口３２に確実に抜くことができるから、第１開閉弁３４の開弁作動が確実になり、同様に第２開閉弁３５の開弁作動が確実になる。
【００４１】
第１ブリード孔４１、第２ブリード孔４５、第３ブリード孔４６の順に、ブリード孔径が大きくなるように形成したので、電磁弁３８を開弁することでダイアフラム室４０，５１の液圧を第３ブリード孔４６を介して下流側の低圧の湯出口３２に確実に抜くことができるから、第１開閉弁３４の開弁作動が確実になり、同様に第２開閉弁３５の開弁作動が確実になる。
【００４２】
前記実施例の流体制御装置としての逆流防止装置を部分的に変更する例を説明する。
１）前記実施例は、本発明の流体制御装置を給湯システムの逆流防止装置として適用した場合を例として説明したが、本発明の流体制御装置は、給湯システムに限らず、種々の流体機器に適用することが可能である。第１開閉弁３４の開閉方向と第２開閉弁３５の開閉方向を略直交するように構成したが、これに限定されるものではなく、第１，第２開閉弁３４，３５を同方向に開閉するように、両開閉弁を平行姿勢に配置してもよい。
【００４３】
２）第１，第２開閉弁３４，３５のダイアフラム室４０，５１を連通路５２で連通して、２つの開閉弁を１つの電磁弁３８で一体的に開閉駆動するように構成したが、３個又は４個のダイアフラム式開閉弁のダイアフラム室を連通路で連通し、１つの電磁弁で一体的に開閉駆動するように構成することも可能である。
【００４４】
３）その他、当業者であれば、本発明の趣旨を逸脱しない範囲で前記実施例の装置に種々の変更を付加した形態で実施可能であり、本発明はそのような変更形態も包含するものである。
【図面の簡単な説明】
【００４５】
【図１】本発明の実施例の給湯システムと逆流防止装置（閉弁状態）の構成図である。
【図２】図１の給湯システムと逆流防止装置（開弁状態）の構成図である。
【図３】従来技術の給湯システムと逆流防止装置（閉弁状態）の構成図である。
【図４】図３の給湯システムと逆流防止装置（閉弁状態）の構成図である。
【符号の説明】
【００４６】
３          逆流防止装置
３１        湯入口
３２        湯出口
３３        湯通路
３４        第１開閉弁
３５        第２開閉弁
３４ａ，３５ａ  ダイアフラム
３６        ホッパー弁兼逆止弁
３７        オーバーフロー口
３８        電磁弁
４０，５１        ダイアフラム室
４１        第１ブリード孔
４２        ブリード室
４５        第２ブリード孔
４６        第３ブリード孔
５２        連通路
【図１】
2007085621.tif 000003
【図２】
2007085621.tif 000004
【図３】
2007085621.tif 000005
【図４】
2007085621.tif 000006